(57)【要約】【課題】メモリに格納された鍵データなどの所定情報をコピー・盗み読みから保護する。【解決手段】ＤＶＤ機器２０は、ＤＶＤ１の情報に関連した鍵データを予め記録したフラッシュメモリ１６を備えて、フラッシュメモリ１６から読出した鍵データを用いてＤＶＤ１の情報をアクセスする。フラッシュメモリ１６の特定領域１７において鍵データが予め記録されている。鍵データの周囲にはランダムデータが予め書込まれている。この鍵データはＤＶＤ１に情報を暗号化して記録するための機器用の暗号化キーまたはＤＶＤ１から読出した情報を復号化するための機器用の復号化キーである。これらキーはランダムデータに埋もれるようにして記録されているから鍵データを不正にコピーし読出すことから保護できる。【選択図】        図１
2004303315.tif 000002
【特許請求の範囲】
【請求項１】
ＤＶＤの情報に関連した鍵データを予め記録したメモリと、前記メモリから読出した前記鍵データを用いて前記ＤＶＤの情報をアクセスするアクセス手段とを備えて、
前記メモリにおいて前記鍵データの周囲にはランダムデータが書込まれており、
前記鍵データは前記ＤＶＤに情報を暗号化して記録するための機器用の暗号化キーまたは前記ＤＶＤから読出した情報を復号化するための機器用の復号化キーである、ＤＶＤ機器。
【請求項２】
ＤＶＤの情報に関連した鍵データを予め記録したメモリと、
前記メモリから読出した前記鍵データを用いて前記ＤＶＤの情報をアクセスするアクセス手段とを備えて、
前記メモリにおいて前記鍵データの周囲にはランダムデータが書込まれていることを特徴とする、ＤＶＤ機器。
【請求項３】
前記鍵データは前記ＤＶＤに情報を暗号化して記録するための機器用の暗号化キーである、請求項２に記載のＤＶＤ機器。
【請求項４】
前記鍵データは前記ＤＶＤから読出した情報を復号化するための機器用の復号化キーである、請求項２または３に記載のＤＶＤ機器。
【請求項５】
不正アクセスから保護すべき所定情報を予めメモリに記録するための方法であって、
前記メモリの未使用領域に前記所定情報を書込む書込みステップと、
前記未使用領域における前記書込みステップにより書込まれた前記所定情報の前後領域に、ランダムデータを書込むランダムデータ書込みステップとを備え、
前記所定情報はＤＶＤの情報に関連した鍵データまたはパスワードであることを特徴とする、所定情報記録方法。
【請求項６】
不正アクセスから保護すべき所定情報を予めメモリに記録するための方法であって、
前記メモリの未使用領域に前記所定情報を書込む書込みステップと、
前記未使用領域における前記書込みステップにより書込まれた前記所定情報の前後領域に、ランダムデータを書込むランダムデータ書込みステップとを備える、所定情報記録方法。
【請求項７】
前記メモリはＤＶＤ機器に搭載されて、前記所定情報はＤＶＤの情報に関連した鍵データであることを特徴とする、請求項６に記載の所定情報記録方法。
【請求項８】
前記所定情報はパスワードであることを特徴とする、請求項６に記載の所定情報記録方法。
【発明の詳細な説明】
【０００１】
【発明の属する技術分野】
この発明は、メモリに記録された所定情報をコピーされたり盗まれたりすることから保護するＤＶＤ機器および所定情報記録方法に関し、特にメモリに記憶された暗号化または復号化のための鍵データやパスワードなどの所定の情報を保護することのできるＤＶＤ機器および所定情報記録方法に関する。
【０００２】
【従来の技術】
従来から、著作権保護技術として鍵を用いた暗号化と復号化の技術が提供されている（たとえば、特許文献１と２を参照）。
【０００３】
また、最近、たとえばＤＶＤ（Ｄｉｇｉｔａｌ  Ｖｅｒｓａｔｉｌｅ  Ｄｉｓｃ）規格では著作権保護技術（コピーコントロール技術）として「ＣＰＰＭ（Ｃｏｎｔｅｎｔ  Ｐｒｏｔｅｃｔｉｏｎ  ｆｏｒ  Ｐｒｅｒｅｃｏｒｄｅｄ  Ｍｅｄｉａ）」と「ＣＰＲＭ（Ｃｏｎｔｅｎｔ  Ｐｒｏｔｅｃｔｉｏｎ  ｆｏｒ  Ｒｅｃｏｒｄａｂｌｅ  Ｍｅｄｉａ）」が採用されている。ＣＰＰＭは再生専用のメディア用に開発されたものでありＣＰＲＭは記録可能なメディア用に開発されたものである。いずれもメディア側に「ＭＫＢ（Ｍｅｄｉａ  Ｋｅｙ  Ｂｌｏｃｋ）」と呼ばれる鍵の束を記録しておき、それを機器側に用意（記録）されている機器鍵（デバイスキー）を用いてコピーコントロールする。
【０００４】
具体的には、メディアに記録された／記録するコンテンツはすべて暗号化されており、再生時には機器側が用意している機器鍵とメディア側に記録されているＭＫＢを使用して暗号を解くために必要となる「メディア鍵」を生成する。そして、これを用いてコンテンツの暗号化を解き、再生が行なわれる。ＭＫＢはライセンス会社によりメディアの製造業者に予め配布されており機器側に用意される機器鍵（デバイスキー）もライセンス会社から機器製造社に予め与えられている。機器鍵は個々の機器ごとに必ず異なったものが使用されて、同じ鍵が使用されることはない。
【０００５】
【特許文献１】
特開２００２−７３４２０公報の明細書と図面
【０００６】
【特許文献２】
特開２００２−１６５９３公報の明細書の図面
【０００７】
【発明が解決しようとする課題】
ＤＶＤ機器においては、内部のフラッシュメモリの特定領域を使って「鍵」情報を格納する。フラッシュメモリは所定単位、たとえば３２ＫＢ単位で書換え可能なように構成されているから、３２ＫＢの領域の中にたとえば「２５ｂｉｔ」の「鍵」情報が格納されることになる。この場合、３２ＫＢの領域における「鍵」情報が格納された領域を除く他の領域（未使用エリア）にはａｌｌ“０”（またはａｌｌ“１”）のデータが書込まれている。したがって、外部からフラッシュメモリを単独でコピーされたときに「鍵」情報が浮き出てしまい簡単にコピーされ盗まれてしまう。
【０００８】
それゆえにこの発明の目的は、メモリに格納された鍵データなどの所定情報をコピー・盗み読みから保護することのできるＤＶＤ機器および所定情報記録方法を提供することである。
【０００９】
【課題を解決するための手段】
この発明のある局面に従うとＤＶＤ機器は、ＤＶＤの情報に関連した鍵データを予め記録したメモリと、メモリから読出した鍵データを用いてＤＶＤの情報をアクセスするアクセス手段とを備えて、メモリにおいて鍵データの周囲にはランダムデータが書込まれており、鍵データはＤＶＤに情報を暗号化して記録するための機器用の暗号化キーまたはＤＶＤから読出した情報を復号化するための機器用の復号化キーである。
【００１０】
この発明の他の局面に従うとＤＶＤ機器は、ＤＶＤの情報に関連した鍵データを予め記録したメモリと、メモリから読出した鍵データを用いてＤＶＤの情報をアクセスするアクセス手段とを備えて、メモリにおいて鍵データの周囲にはランダムデータが書込まれている。
【００１１】
したがって、メモリにおいては鍵データはランダムデータに埋もれるようにして記録されているので、第３者がメモリから鍵データを特定して読出すことができなくなる。それゆえに、メモリに格納された鍵データをコピー・盗み読みから保護できる。
【００１２】
上述の鍵データは好ましくは、ＤＶＤに情報を暗号化して記録するための機器用の暗号化キーである。したがって、ＤＶＤに情報を暗号化して記録するＤＶＤ機器において、暗号化のための機器用暗号化キーをコピー・盗み読みから保護できる。
【００１３】
上述の鍵データは好ましくは、ＤＶＤから読出した情報を復号化するための機器用の復号化キーである。したがって、ＤＶＤから読出した情報を復号化して再生するＤＶＤ機器において、復号化のための機器用復号化キーをコピー・盗み読みから保護できる。
【００１４】
この発明のさらなる他の局面に従う、不正アクセスから保護すべき所定情報を予めメモリに記録するための方法は、メモリの未使用領域に所定情報を書込む書込みステップと、未使用領域における書込みステップにより書込まれた所定情報の前後領域に、ランダムデータを書込むランダムデータ書込みステップとを備え、所定情報はＤＶＤの情報に関連した鍵データまたはパスワードである。
【００１５】
この発明のさらなる他の局面に従う、不正アクセスから保護すべき所定情報を予めメモリに記録するための方法は、メモリの未使用領域に所定情報を書込む書込みステップと、未使用領域における書込みステップにより書込まれた所定情報の前後領域に、ランダムデータを書込むランダムデータ書込みステップとを備える。
【００１６】
したがってメモリに所定情報が書込まれるとき、その前後領域においてランダムデータが書込まれるから、所定情報はランダムデータに埋もれた形式で記録されることになる。それゆえに、メモリに格納された所定情報をコピー・盗み読みから保護できる。
【００１７】
上述のメモリは好ましくはＤＶＤ機器に搭載されて、所定情報はＤＶＤの情報に関連した鍵データである。したがって、メモリに格納されたＤＶＤの情報に関連した鍵データをコピー・盗み読みから保護できる。
【００１８】
上述の所定情報は好ましくはパスワードである。したがって、メモリに格納されたパスワードをコピー・盗み読みから保護できる。
【００１９】
この発明のさらなる他の局面では、上述の方法を実施するための装置が提供される。
【００２０】
この発明のさらなる他の局面では読出し可能メモリが提供される。このメモリには、不正アクセスから保護すべき所定情報と、所定情報の前後領域におけるランダムデータとが少なくとも書込まれていることを特徴とする。
【００２１】
【発明の実施の形態】
以下、この発明の実施の形態について図面を参照して説明する。
【００２２】
図１にはＤＶＤ機器２０の構成が示される。ＤＶＤ機器２０は、再生するためのＤＶＤ１、ＤＶＤ１を再生するために駆動する各種モータ２〜４、これらモータを駆動するためのモータドライバ５、ＤＶＤ１から情報を読取るための光学ユニット６、光学ユニット６によりＤＶＤ１から読出されたデータ信号を処理するフロントエンド７、フロントエンド７で処理されたデータをＴＶ（ｔｅｌｅｖｉｓｉｏｎ）セットなどを介して出力可能なように処理するバックエンド１１、バックエンド１１における処理のためのデータ・プログラムを格納するＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１５およびフラッシュメモリ１６を備える。
【００２３】
フロントエンド７は再生した信号を入力して増幅するＡＭＰ（Ａｍｐｌｉｆｉｅｒ）８、増幅された信号をデジタル処理（ＤＳＰ：Ｄｉｇｉｔａｌ  Ｓｉｇｎａｌ  Ｐｒｏｃｅｓｓｉｎｇ）してエラー訂正（ＥＣＣ：Ｅｒｒｏｒ  Ｃｏｒｒｅｃｔｉｎｇ  Ｃｏｄｅ）するＤＳＰ／ＥＣＣ９、およびこれらを制御するＭＰＵ（Ｍｉｃｒｏ  Ｐｒｏｃｅｓｓｉｎｇ  Ｕｎｉｔ）１０を有する。
【００２４】
バックエンド１１は、ＤＳＰ／ＥＣＣ９から出力されたデジタル信号を入力してデコード処理するデコーダ１２、ＭＰＵ１３および復号化処理のための鍵データをフラッシュメモリ１６の所定アドレスから所定長の鍵データを読出して処理する鍵データ処理部１４を有する。
【００２５】
フラッシュメモリ１６はたとえば３２ＫＢ単位で書換可能であって、３２ＫＢの特定の領域１７には復号化などのために鍵データがバイト単位で予め格納されている。
【００２６】
図２を参照して、フラッシュメモリ１６はプログラムのための領域と特定領域１７とを有する。特定領域１７には鍵データ（たとえばＣＰＲＭ用とＣＰＰＭ用の鍵データ）とが格納されており、特定領域１７においては、鍵データが格納された領域の前後の領域（未使用エリア）にもランダムなデータが予め書込まれている。したがって、フラッシュメモリ１７においては、ランダムデータのエリアに鍵データが格納されていることになるから、第三者が鍵データのみを特定して読出すことができなくなる。
【００２７】
図２のようにして鍵データが書込まれたフラッシュメモリ１６はＤＶＤ機器２０の製造時に機器２０に取付けられる。この取付けに際してフラッシュメモリ１６には予めプログラムが書込まれており、プログラムが書込まれていない空き領域をパーソナルコンピュータなどを用いて書換えることにより鍵データが書込まれる。鍵データの書込みはプログラム制御される鍵データ書込み機器、たとえばパーソナルコンピュータによりなされる。パーソナルコンピュータの構成は周知のものが適用されるから、ここでは説明を省略する。鍵データ書込み機器による具体的な書込み手順を図３を参照して説明する。
【００２８】
まず、プログラム領域にプログラムが予め書込まれたフラッシュメモリ１６がセットされると、鍵データ書込み機器は該フラッシュメモリ１６をアクセスして、プログラム領域以外の領域において鍵データを書込むための領域１７を特定する（ステップＳ（以下、単にＳと略す）１）。そして特定領域１７の所定のアドレスに予め準備された鍵のデータ列（バイト単位）を書込む（Ｓ２）。このとき特定領域１７の鍵データが書込まれた領域以外の未使用領域にはランダムなデータを書込む（Ｓ３）。以上で、鍵データの書込みは終了して、鍵データが書込まれたフラッシュメモリ１６はＤＶＤ機器２０に取付けられる。
【００２９】
本実施の形態ではフラッシュメモリ１６における復号化のための鍵データ、たとえばＣＰＰＭまたはＣＰＲＭの再生のための鍵データを保護の対象としているが、ＤＶＤ１に情報を暗号化して記録するための機器に適用してフラッシュメモリ１６における暗号化のための鍵データを保護対象としてもよい。また、暗号化／復合化の鍵データに限定されず、装置（システム）アクセスのパスワードまたは通信のためのパスワードなどを保護の対象としてもよい。
【００３０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３１】
【発明の効果】
発明によれば、メモリにおいては鍵データなどの所定情報はランダムデータに埋もれるようにして記録されているので、第３者がメモリから所定情報を特定して読出すことができなくなる。それゆえに、メモリに格納された鍵データなどの所定情報を不正アクセスによるコピー・盗み読みから保護できる。
【図面の簡単な説明】
【図１】この発明の実施の形態に係るＤＶＤ再生機器の構成図である。
【図２】この発明の実施の形態に係るフラッシュメモリの内容例を示す図である。
【図３】この発明の実施の形態に係る鍵データの書込み処理の手順を示す図である。
【符号の説明】
１  ＤＶＤ、１４  鍵データ処理部、１６  フラッシュメモリ、１７  特定領域、２０  ＤＶＤ機器。
【図１】
2004303315.tif 000003
【図２】
2004303315.tif 000004
【図３】
2004303315.tif 000005